(57)【要約】【課題】  アクセシビリティを容易にするための方法、拡張現実デバイス、及びコンピュータ・プログラムを提供する。【解決手段】  拡張現実デバイス（１１０）のユーザが構成可能な物理装置（１３０）から閾値距離内にいるかどうかを判断する。ユーザが構成可能な物理装置（１３０）から閾値距離内にいると判断することに応答して、拡張現実デバイス（１１０）と構成可能な物理装置（１３０）のコントローラ（１３４）との間に通信リンクを確立する。拡張現実デバイス（１１０）は、構成可能な物理装置（１３０）を第１の構成から第２の構成に変更するように、構成可能な物理装置のコントローラ（１３４）を開始させることができ、第２の構成は、ユーザへの構成可能な物理装置（１３０）のアクセシビリティを容易にする。【選択図】      図１
2020527767.tif 000002
【特許請求の範囲】
【請求項１】
拡張現実デバイスのユーザが構成可能な物理装置から閾値距離内にいるかどうかを判断することと、
前記ユーザが前記構成可能な物理装置から閾値距離内にいると判断することに応答して、前記拡張現実デバイスと前記構成可能な物理装置のコントローラとの間に通信リンクを確立することと、
前記拡張現実デバイスにより、前記構成可能な物理装置を第１の構成から第２の構成に変更するように、前記構成可能な物理装置のコントローラを開始させることであって、前記第２の構成は、前記ユーザへの前記構成可能な物理装置のアクセシビリティを容易にする、開始させることと、
を含む方法。
【請求項２】
前記構成可能な物理装置は手すりを含み、
前記構成可能な物理装置を前記第１の構成から前記第２の構成に変更することは、前記手すりを第１の高さから第２の高さに移動させることを含む、請求項１に記載の方法。
【請求項３】
前記構成可能な物理装置は棚を含み、
前記構成可能な物理装置を前記第１の構成から前記第２の構成に変更することは、前記棚を第１の高さから第２の高さに移動させることを含む、請求項１に記載の方法。
【請求項４】
前記構成可能な物理装置は標識を含み、
前記構成可能な物理装置を前記第１の構成から前記第２の構成に変更することは、前記標識の少なくとも１つの部分の色を第１の色から第２の色に変更することを含む、請求項１に記載の方法。
【請求項５】
前記構成可能な物理装置はランプを含み、
前記構成可能な物理装置を前記第１の構成から前記第２の構成に変更することは、前記ランプの色を第１の色から第２の色に変更することを含む、請求項１に記載の方法。
【請求項６】
前記構成可能な物理装置は複数のランプを含み、
前記構成可能な物理装置を前記第１の構成から前記第２の構成に変更することは、前記ユーザが第１の位置から少なくとも１つの第２の位置へ移動するための経路を照らすように、前記複数のランプを制御することを含む、請求項１に記載の方法。
【請求項７】
前記構成可能な物理装置は、光を発するように構成された少なくとも１つのディスプレイを含み、
前記構成可能な物理装置を前記第１の構成から前記第２の構成に変更することは、前記構成可能な物理装置の色又はテクスチャを視覚的に示す照明カラー・スキームを変更するように、前記ディスプレイを選択的に制御することを含む、請求項１に記載の方法。
【請求項８】
前記拡張現実デバイスは第１の拡張現実デバイスであり、第２の拡張現実デバイスは、前記構成可能な物理装置から前記閾値距離内にあり、前記方法は、
前記第１の拡張現実デバイスが、前記第１の拡張現実デバイスと前記第２の拡張現実デバイスとの間で少なくとも１つのメッセージを交換することにより、前記第２の拡張現実デバイスと連携することと、
前記少なくとも１つのメッセージに基づいて、少なくとも前記第１の拡張現実デバイスは、前記第１の拡張現実デバイスが、前記構成可能な物理装置の制御に関して前記第２の拡張現実デバイスよりも優先権を持っていると判断することと、
をさらに含み、
前記拡張現実デバイスにより、前記構成可能な物理装置を第１の構成から第２の構成に変更するように、前記構成可能な物理装置の前記コントローラを開始させることは、前記第１の拡張現実デバイスが、前記構成可能な物理装置の制御に関して優先権を持っていると判断することに応答する、請求項１に記載の方法。
【請求項９】
前記ユーザの電子健康記録にアクセスすることと、
前記ユーザの前記電子健康記録に基づいて前記第２の構成を自動的に判断することと、
をさらに含む、請求項１に記載の方法。
【請求項１０】
前記ユーザのユーザ・プロファイルにアクセスすることと、
前記ユーザの前記ユーザ・プロファイルに基づいて前記第２の構成を自動的に判断することと、
をさらに含む、請求項１に記載の方法。
【請求項１１】
拡張現実デバイスであって、
拡張現実デバイスのユーザが構成可能な物理装置から閾値距離内にいるかどうかを判断することと、
前記ユーザが前記構成可能な物理装置から閾値距離内にいると判断することに応答して、前記拡張現実デバイスと前記構成可能な物理装置のコントローラとの間に通信リンクを確立することと、
前記構成可能な物理装置を第１の構成から第２の構成に変更するように、前記構成可能な物理装置のコントローラを開始させることであって、前記第２の構成は、前記ユーザへの前記構成可能な物理装置のアクセシビリティを容易にする、開始させることと、
を含む実行可能な動作を開始させるようにプログラムされたプロセッサを含む、拡張現実デバイス。
【請求項１２】
前記構成可能な物理装置は手すりを含み、
前記構成可能な物理装置を前記第１の構成から前記第２の構成に変更することは、前記手すりを第１の高さから第２の高さに移動させることを含む、請求項１１に記載の拡張現実デバイス。
【請求項１３】
前記構成可能な物理装置は棚を含み、
前記構成可能な物理装置を前記第１の構成から前記第２の構成に変更することは、前記棚を第１の高さから第２の高さに移動させることを含む、請求項１１に記載の拡張現実デバイス。
【請求項１４】
前記構成可能な物理装置は標識を含み、
前記構成可能な物理装置を前記第１の構成から前記第２の構成に変更することは、前記標識の少なくとも１つの部分の色を第１の色から第２の色に変更することを含む、請求項１１に記載の拡張現実デバイス。
【請求項１５】
前記構成可能な物理装置はランプを含み、
前記構成可能な物理装置を前記第１の構成から前記第２の構成に変更することは、前記ランプの色を第１の色から第２の色に変更することを含む、請求項１１に記載の拡張現実デバイス。
【請求項１６】
前記構成可能な物理装置は複数のランプを含み、
前記構成可能な物理装置を前記第１の構成から前記第２の構成に変更することは、前記ユーザが第１の位置から少なくとも１つの第２の位置へ移動するための経路を照らすように、前記複数のランプを制御することを含む、請求項１１に記載の拡張現実デバイス。
【請求項１７】
前記構成可能な物理装置は、光を発するように構成された少なくとも１つのディスプレイを含み、
前記構成可能な物理装置を前記第１の構成から前記第２の構成に変更することは、前記構成可能な物理装置の色又はテクスチャを視覚的に示す照明カラー・スキームを変更するように、前記ディスプレイを選択的に制御することを含む、請求項１１に記載の拡張現実デバイス。
【請求項１８】
前記拡張現実デバイスは第１の拡張現実デバイスであり、第２の拡張現実デバイスは、前記構成可能な物理装置から前記閾値距離内にあり、前記実行可能な動作は、
前記第１の拡張現実デバイスが、前記第１の拡張現実デバイスと前記第２の拡張現実デバイスとの間で少なくとも１つのメッセージを交換することにより、前記第２の拡張現実デバイスと連携することと、
前記少なくとも１つのメッセージに基づいて、少なくとも前記第１の拡張現実デバイスは、前記第１の拡張現実デバイスが前記構成可能な物理装置の制御に関して前記第２の拡張現実デバイスよりも優先権を持っていると判断することと、
をさらに含み、
前記拡張現実デバイスにより、前記構成可能な物理装置を第１の構成から第２の構成に変更するように、前記構成可能な物理装置の前記コントローラを開始させることは、前記第１の拡張現実デバイスが前記構成可能な物理装置の制御に関して優先権を持っていると判断することに応答する、請求項１１に記載の拡張現実デバイス。
【請求項１９】
方法を実行するための、プロセッサにより実行可能なプログラム・コードを含むコンピュータ・プログラムであって、前記方法は、
拡張現実デバイスにより、前記拡張現実デバイスのユーザが構成可能な物理装置から閾値距離内にいるかどうかを判断することと、
前記ユーザが前記構成可能な物理装置から閾値距離内にいると判断することに応答して、前記拡張現実デバイスにより、前記拡張現実デバイスと前記構成可能な物理装置のコントローラとの間に通信リンクを確立することと、
前記拡張現実デバイスにより、前記構成可能な物理装置を第１の構成から第２の構成に変更するように、前記構成可能な物理装置のコントローラを開始させることであって、前記第２の構成は、前記ユーザへの前記構成可能な物理装置のアクセシビリティを容易にする、開始させることと、
を含む、コンピュータ・プログラム。
【請求項２０】
前記構成可能な物理装置は手すりを含み、
前記構成可能な物理装置を前記第１の構成から前記第２の構成に変更することは、前記手すりを第１の高さから第２の高さに移動させることを含む、請求項１９に記載のコンピュータ・プログラム。
【発明の詳細な説明】
【技術分野】
【０００１】
本発明は、拡張現実（augmented reality）に関し、より特定的には、拡張現実デバイスに関する。
【背景技術】
【０００２】
拡張現実は、従来の意味では、その要素が、音声、ビデオ、グラフィックス、又は全地球測位システム（ＧＰＳ）データのようなコンピュータ生成の感覚入力により拡張される（又は補完される）物理的実世界環境の直接的又は間接的なライブ・ビュー（live view）である。拡張現実は、通常、リアルタイムで、かつ、環境要素との文脈で実行される。仮想世界が提示される仮想現実とは対照的に、拡張現実は、周囲の実世界についての情報を提示し、拡張する。
【発明の概要】
【発明が解決しようとする課題】
【０００３】
アクセシビリティを容易にするための方法、拡張現実デバイス、及びコンピュータ・プログラムを提供する。
【課題を解決するための手段】
【０００４】
拡張現実デバイスが、実行可能な動作を開始するようにプログラムされたプロセッサを含む。実行可能な動作は、拡張現実デバイスのユーザが構成可能な物理装置から閾値距離内にいるかどうかを判断することを含む。実行可能な動作は、ユーザが構成可能な物理装置から閾値距離内にいると判断することに応答して、拡張現実デバイスと構成可能な物理装置のコントローラとの間に通信リンクを確立することも含む。実行可能な動作は、構成可能な物理装置を第１の構成から第２の構成に変更するように、構成可能な物理装置のコントローラを開始させることであって、第２の構成は、ユーザへの構成可能な物理装置のアクセシビリティを容易にする、開始させることを含むこともできる。
【０００５】
コンピュータ・プログラムが、プログラム・コードがそこに格納されたコンピュータ可読ストレージ媒体を含む。プログラム・コードは、方法を実行するために、プロセッサにより実行可能である。方法は、拡張現実デバイスにより、該拡張現実デバイスのユーザが構成可能な物理装置から閾値距離内にいるかどうかを判断することを含むことができる。方法は、ユーザが構成可能な物理装置から閾値距離内にいると判断することに応答して、拡張現実デバイスにより、拡張現実デバイスと構成可能な物理装置のコントローラとの間に通信リンクを確立することもできる。方法は、拡張現実デバイスにより、構成可能な物理装置を第１の構成から第２の構成に変更するように、構成可能な物理装置のコントローラを開始させることであって、第２の構成は、前記ユーザへの前記構成可能な物理装置のアクセシビリティを容易にする開始させることとを含むこともできる。
【図面の簡単な説明】
【０００６】
【図１】拡張現実環境の例を示すブロック図である。
【図２】拡張現実環境における可動手すりの例を示す。
【図３】拡張現実環境における可動棚の例を示す。
【図４】拡張現実環境における標識の例を示す。
【図５】拡張現実環境における照明システムの例を示す。
【図６】拡張現実環境における照明する構成可能な物理構造体の例である。
【図７】拡張現実デバイスのための例示的なコンピューティング・アーキテクチャを示すブロック図である。
【図８】物理装置のための例示的なコンピューティング・アーキテクチャを示すブロック図である。
【図９】構成を変更するために物理構造体を開始させる方法の例を示すフローチャート「である。
【発明を実施するための形態】
【０００７】
本開示は、拡張現実に関し、より特定的には、拡張現実デバイスに関する。本明細書で開示される本発明の構成によると、拡張現実デバイスは、構成を変更してユーザへの物理装置のアクセシビリティ（accessibility）を容易にするように、物理装置を開始させることができる。例えば、拡張現実デバイスは、手すり又は棚をユーザが好む高さに移動させるように、物理装置を開始させることができる。別の例において、拡張現実デバイスは、例えばユーザが色覚異常のような視覚障害を有する場合、標示又はランプの色をユーザにより認識可能な色に変更するように、物理装置を開始させることができる。さらに別の例において、拡張現実デバイスは、複数のランプを制御して、ユーザが１つの位置から別の位置へ移動するための経路を照らすように、物理装置を開始させることができる。ランプに照らされる光の１又は複数の色は、ユーザにより認識可能な色になるように選択することができる。
【０００８】
ここで、本文書の全体を通して適用される幾つかの定義を提示する。
【０００９】
本明細書で定義される場合、「拡張現実デバイス」という用語は、ユーザの人上に、又はユーザに対して提示されるように実世界の要素を拡張する、少なくとも１つのプロセッサ及びメモリを含む、ユーザと共に移動するモバイル機器／装置上のいずれかに、ユーザにより支持されるデバイスを意味する。拡張現実デバイスの例として、これらに限定されるものではないが、拡張現実グラス（例えば、スマート・グラス）、拡張現実ヘッドセット、及び拡張現実アプリケーションを含むモバイル機器（例えば、携帯電話）が挙げられる。「拡張現実デバイス」という用語が本明細書で定義される場合、動作中にユーザにより支持されない動作検出器及びタッチセンサのようなセンサは、拡張現実デバイスではない。
【００１０】
本明細書で定義される場合、「構成可能な物理装置」という用語は、複数の構成の物理装置の間で動作可能な物理装置を意味する。
【００１１】
本明細書で定義される場合、「に応答して（responsive to 〜）」という用語は、あるアクション又はイベントに対して容易に応答又は反応することを意味する。従って、第１のアクション「に応答して」第２のアクションが実行される場合、第１のアクションの発生と第２のアクションの発生との間には因果関係があり、「に応答して」という用語は、こうした因果関係を示す。
【００１２】
本明細書で定義される場合、「コンピュータ可読ストレージ媒体」という用語は、命令実行システム、装置若しくはデバイスによる使用又はそれらと関連して使用されるプログラム・コードを収容又は格納するストレージ媒体を意味する。本明細書で定義される場合、「コンピュータ可読ストレージ媒体」は、一時的な伝搬信号自体ではない。
【００１３】
本明細書で定義される場合、「送受信機」という用語は、信号を１つの形式から別の形式に変換し、１つ又は複数の種々の無線通信ネットワーク上でそうした信号を伝送及び／又は受信するように信号を変調及び復調するように構成されたデバイスを意味する。図示において、送受信機は、２Ｇ、３Ｇ、４Ｇ、ＧＳＭ、ＬＴＥ、ＵＭＢ、ＧＰＲＳ、ＥＵＴＲＡＮ、ＴＤＭＡ、ＣＤＭＡ、ＷＣＤＭＡ、ＵＭＴＳ、ＯＦＤＭ、ＨＳＰＡ＋、直接無線通信等を介して、データを通信することができる。直接無線通信として、これに限定されるものではないが、ネットワーク（ＰＡＮ）通信が挙げられる。ＰＡＮ通信の例として、これらに限定されるものではないが、Ｂｌｕｅｔｏｏｔｈ（登録商標）、Ｂｌｕｅｔｏｏｔｈ（登録商標）ロー・エナジー（ＢＬＥ）及び／又はＺｉｇｂｅｅ（商標）通信プロトコル等が挙げられる。さらに、送受信機は、例えば８０２．１１及び８０２．１６（ＷｉＭａｘ）、モバイルＷｉＭａｘ、ＷＰＡ又はＷＰＡ２などのＩＥＥＥ８０２無線通信を介して、データを通信するように構成された無線ネットワーク・アダプタとして具体化することができる。さらに、本発明は、これらの例に限定されるものではなく、送受信機は、任意の適切な通信標準、プロトコル、及び／又はアーキテクチャ、又はこうした標準、プロトコル、及び／又はアーキテクチャの適切な組み合わせに従って、ＲＦ信号を通信するように構成することができる。
【００１４】
本明細書で定義される場合、「プロセッサ」という用語は、プログラム・コード内に含まれる命令を実行するように構成された少なくとも１つのハードウェア回路（例えば集積回路）を意味する。プロセッサの例として、これらに限定されるものではないが、中央処理ユニット（ＣＰＵ）、アレイ・プロセッサ、ベクトル・プロセッサ、デジタル信号プロセッサ（ＤＳＰ）、フィールド・プログラマブル・ゲート・アレイ（ＦＰＧＡ）、プログラマブル論理アレイ（ＰＬＡ）、特定用途向け集積回路（ＡＳＩＣ）、プログラマブル論理回路、及びコントローラが挙げられる。
【００１５】
本明細書で定義される場合、「リアルタイム」という用語は、ユーザ又はシステムが、特定のプロセス又は行うべき決定に関して十分に即時的に感知する、又はプロセッサが或る外部プロセスに遅れずについていくのを可能にする、処理応答性のレベルを意味する。
【００１６】
本明細書で定義される場合、「自動的に」という用語は、ユーザの介在を伴わないことを意味する。
本明細書で定義される場合、「ユーザ」という用語は、人間（すなわちヒト）を意味する。
【００１７】
図１は、拡張現実環境１００の例を示すブロック図である。拡張現実環境１００は、拡張現実デバイス１１０及び物理装置１３０を含むことができる。拡張現実デバイス１１０は、少なくとも１つの送受信機１１２、少なくとも１つのプロセッサ１１４、拡張現実アプリケーション１１６、及び随意的にユーザ・プロファイル１１８を含むことができる。
【００１８】
拡張現実アプリケーション１１６は、物理装置１３０により生成され、送受信機１１２により受信される信号に基づいて、物理装置１３０に対する拡張現実デバイス１１０の近接性を検出するように構成することができる。さらに、拡張現実アプリケーション１１６は、物理装置１３０に対する拡張現実デバイス１１０の近接性に少なくとも部分的に基づいて、本明細書で説明される種々のプロセスを開始させるように構成することができる。
【００１９】
ユーザ・プロファイル１１８は、拡張現実アプリケーション１１６のユーザについてのプロファイル・データを格納することができる。１つの構成において、ユーザ・プロファイル１１８は、ユーザの電子健康記録（electronic health record）１２０を格納することができる。別の構成において、拡張現実アプリケーション１１６は、例えば送受信機１１２を介して、別のシステム（図示せず）からユーザの電子健康記録１２０にアクセスすることができる。
【００２０】
物理装置１３０は、少なくとも１つの送受信機１３２、１つ又は複数のコントローラ１３４、１つ又は複数の制御デバイス及び／又は構造体１３６、及び随意的に１つ又は複数のアクチュエータ１３８を含むことができる。さらに、物理装置１３０は、物理装置アプリケーション１４０を含むことができる。物理装置アプリケーション１４０は、コントローラ１３４によりアクセスし、コントローラ１３４内のコンピュータ・プログラム・コードとして格納し、又はコントローラ１３４を構成するように用いられる構成データとして実装することができる（例えば、コントローラ１３４がプログラマブル論理回路、ＦＰＧＡ、ＰＬＡ等を含む構成において）。
【００２１】
コントローラ１３４は、プロセッサ、又はコントローラ１３４のプログラム・コード内に含まれる命令を実行するように構成された、及び／又は物理装置アプリケーション１４０により与えられる命令を実行するように構成された他のいずれかのハードウェア回路（例えば集積回路）とすることができる。この点で、コントローラ１３４は、特定の命令を実行するように特別に構成されたプロセッサとすることができるが、この点で本構成は制限されない。
【００２２】
制御デバイス及び／又は構造体１３６は、例えば、コントローラ１３４の１つ又は複数から受信した制御信号に応答して、又はコントローラ１３４により制御される１つ又は複数のアクチュエータ１３８が受け取る機械的入力に応答して、複数の動作状態の間で動作可能なように構成された物理装置１３０のコンポーネントとすることができる。図示において、アクチュエータ１３８は、制御デバイス及び／又は構造体１３６の１つ又は複数のコンポーネントを機械的に移動させるように構成された１つ又は複数の磁石、モータ等を含むことができる。
【００２３】
別の構成において、コントローラ１３４は、種々の複数の動作状態の間で制御デバイス及び／又は構造体１３６を直接動作させることができる。例えば、コントローラ１３４は、制御デバイス及び／又は構造体１３６と直接インターフェース接続し、制御デバイス又は構造体１３６の動作状態を制御することができる。図示において、コントローラ１３４は、標識及び／又はランプと直接インターフェース接続し、標識及び／又はランプが発する光の色を制御し、標識及び／又はランプが発する光の方向等を制御することができる。コントローラ１３４は、物理装置アプリケーション１４０から受信したデータに応答して制御信号を生成することができ、又はコントローラ１３４は、拡張現実アプリケーション１１６から受信したデータに応答して制御信号を生成することができる。
【００２４】
拡張現実デバイス１１０は、送受信機１１２と送受信機１３２との間に確立された少なくとも１つの通信リンク１５０を介して、例えば物理装置１３０などの１つ又は複数の物理装置に通信可能にリンクすることができる。通信リンク１５０は、拡張現実デバイス１１０と物理装置１３０との間に通信を与えるように用いられる媒体であり、既述のプロトコルのいずれかに従って確立することができる。通信リンク１５０を介して、拡張現実アプリケーション１１６は、拡張現実要求１６０を、物理装置アプリケーション１４０に、又はコントローラ１３４に直接通信することができる。拡張現実要求１６０は、拡張現実デバイス１１０のユーザのために最適化された物理装置１３０の所望の構成状態を示すデータを、物理装置アプリケーション１４０に、又は直接コントローラ１３４に通信することができる。
【００２５】
１つの限定されない構成において、拡張現実環境１００は、例えば拡張現実デバイス１７０などの１つ又は複数の付加的な拡張現実デバイスをさらに含むことができる。拡張現実デバイス１７０は、少なくとも１つの送受信機１７２、少なくとも１つのプロセッサ１７４、拡張現実アプリケーション１７６、及び随意的にユーザ・プロファイル１７８を含むことができる。送受信機１７２、プロセッサ１７４、拡張現実アプリケーション１７６、及びユーザ・プロファイル１７８は、送受信機１１２、プロセッサ１１４、拡張現実アプリケーション１１６、及びユーザ・プロファイル１１８について説明したものとそれぞれ同様の方法で構成することができる。さらに、拡張現実デバイス１７０は、送受信機１７２と送受信機１３２との間に確立された少なくとも１つの通信リンク１５２を介して、例えば物理装置１３０などの１つ又は複数の物理装置に通信可能にリンクすることができる。随意的に、ユーザ・プロファイル１７８は、拡張現実デバイス１７０のユーザの電子健康記録１８０を格納することができる。別の構成において、拡張現実アプリケーション１７６は、例えば送受信機１７２を介して、別のシステム（図示せず）からユーザの電子健康記録１８０にアクセスすることができる。
【００２６】
図２は、拡張現実環境１００における可動手すり２１０の例を示す。この例において、物理装置１３０は、制御構造体１３６（図１）として手すり２１０を含むことができる。手すり２１０は、ユーザが横断したいと望む斜面２１５又は段（step）に近接して配置できるが、本構成はこの点に限定されない。例えば、手すり２１０は、別のタイプの通路に近接して配置することができる。説明されるように、手すり２１０の高さは調節可能とすることができる。さらに、その高さは、拡張現実デバイス１１０（図１）のユーザが好む高さに調節することができる。このことは、ユーザへの手すり２１０のアクセシビリティを容易にし、ユーザが手すり２１０をつかみ、歩行中の支持のために手すり２１０を使用するのを容易にする。
【００２７】
図１及び図２を参照すると、拡張現実デバイス１１０は、ユーザが手すり２１０の閾値距離内にいるかどうかを判断することができる。例えば、送受信機１３２を介して、コントローラ１３４は、ビーコン信号を伝送することができる。例えば、ビーコン信号は、例えばＢＬＥなどの短距離ＲＦ伝送プロトコルに従って伝送することができる。送受信機１１２及びプロセッサ１１４を用いて、拡張現実アプリケーション１１６は、ビーコン信号を監視することができる。ビーコン信号の検出に応答して、拡張現実アプリケーション１１６は、ユーザが手すり２１０の閾値距離内にいるかどうかを判断することができる。この点で、閾値距離は、拡張現実デバイス１１０によりビーコン信号を検出できる距離とすることができる。
【００２８】
別の構成において、ユーザは、ユーザ入力を拡張現実デバイス１１０に入力し、ユーザが手すり２１０の閾値距離内にいることを示すことができる。例えば、ユーザは、ユーザが手すり２１０に接近しているとしてユーザ入力を入力することができる。この例において、閾値距離は、ユーザがユーザ入力を入力した時間における、ユーザ（例えば、ユーザにより使用される拡張現実デバイス１１０）と手すり２１０との間の距離とすることができる。
【００２９】
ビーコン信号又はユーザ入力の検出に応答して、送受信機１１２及びプロセッサ１１４を用いて、拡張現実アプリケーション１１６は、拡張現実要求１６０を物理装置１３０に通信することができる。拡張現実要求１６０は、例えば斜面２１５、段又は床からの高さ２２０など、ユーザにとっての手すり２１０の好ましい高さ２２０を示すことができる。拡張現実アプリケーション１１６は、ユーザ・プロファイル１１８又は電子健康記録１２０に基づいて、好ましい高さ２２０を決定し、好ましい高さ２２０を含むように拡張現実要求１６０を生成することができる。高さ２２０は、斜面２１５、段又は通路の上面から手すり２１０まで測定する／定めること、又は他のいずれかの適切な方法で測定する／定めることが可能である。
【００３０】
送受信機１１２及びプロセッサ１１４を用いて、拡張現実アプリケーション１１６は、当技術分野において周知のＲＦ通信プロトコル（例えば、ＢＬＥ）などの少なくとも１つの１つのＲＦ通信プロトコルを用いて、拡張現実要求１６０を物理装置１３０に、例えば送受信機１３２に通信することができる。送受信機１３２は、拡張現実要求１６０を受信し、該拡張現実要求１６０をコントローラ１３４に通信することができる。コントローラ１３４は、拡張現実要求１６０を処理し、ユーザにとっての手すり２１０の好ましい高さ２２０を決定することができる。この点で、拡張現実要求１６０は、ユーザに対する手すり２１０の高さ２２０の調節を開始させることができる。
【００３１】
コントローラ１３４は、制御信号２３０を１つ又は複数のアクチュエータ２２５に出力することができる。制御信号２３０は、アクチュエータ２２５を制御し、手すり２１０を、例えば垂直方向上下に所望の高さ２２０に移動させることができる。１つの構成において、アクチュエータ２２５は、構造支持部材２３５を上下に垂直方向に移動させる伸縮式アクチュエータとすることができる。さらに、他のタイプのアクチュエータを使用することができ、本構成はこの点に限定されない。例えば、手すり２１０が壁に取り付けられる場合、アクチュエータは、摺動式アクチュエータとすることができる。アクチュエータ２２５は、当技術分野において周知のような、油圧、空気圧、電気、磁気、及び／又は機械的プロセスを用いて作動することができる。
【００３２】
１つの構成において、アクチュエータ２２５は、手すり２１０の現在の高さを示すセンサ・データを生成するセンサ２４０を含むことができる。別の構成において、センサ２４０は、適切な位置においてアクチュエータ２２５の外部に配置することができる。１つの態様において、アクチュエータ２２５は、センサ・データを処理し、例えば、手すり２１０が移動される前、移動されるとき、及び移動された後などの任意の時点における手すり２１０の高さを決定し、手すり２１０が前の高さから所望の高さ２２０に移動されたことに応答して、手すり２１０の移動を停止することができる。別の態様において、センサ２４０は、センサ・データをコントローラ１３４に通信することができ、コントローラ１３４は、センサ・データに応答して、制御信号２３０を生成することができる。この点で、コントローラ１３４は、アクチュエータ２２５を制御し、手すり２１０が所望の高さ２２０に移動されたことに応答して、手すり２１０の移動を停止することができる。
【００３３】
幾つかの例において、複数のユーザの拡張現実デバイス１１０、１７０が、同時に又はほぼ同時に拡張現実要求１６０、１９０を生成することがある。１つの構成において、コントローラ１３４は、スケジューリング・プロセスを実施し、どの拡張現実要求１６０、１９０を最初に処理すべきかを決定する。例えば、コントローラ１３４は、最初に受信した拡張現実要求１６０を処理し、第２の拡張現実要求１９０をメモリに一時的に格納することができる。第１の拡張現実要求１６０に従って手すり２１０の高さを調節することに応答して、コントローラ１３４は、閾値期間、手すり２１０をその高さ２２０に保持することができる。閾値期間は、第１のユーザが斜面２１５、段、又は通路をトラバースする（traverse）のに十分に長い期間とすることができる。更に別の態様において、物理装置１３０は、ユーザがいつ斜面２１５、段、又は通路をトラバースしたかを検出する１つ又は複数のセンサ（図示せず）を含むことができ、ユーザが斜面２１５、段、又は通路をトラバースするまで、手すり２１０をその高さ２２０に保持することができる。それに関係なく、閾値期間の満了に応答して、又はユーザが斜面２１５、段、又は通路をトラバースするのに応答して、コントローラ１３４は、第２の拡張現実要求１９０を処理し、第２のユーザのために手すり２１０の高さを調節することができる。
【００３４】
別の構成において、複数のユーザの拡張現実デバイス１１０、１７０が、互いに連携し（coordinate）、手すり２１０の高さを調節するために、どの拡張現実デバイス１１０が最初に物理装置１３０を制御するかを決定することができる。例えば、それぞれの拡張現実デバイス１１０、１７０の拡張現実アプリケーション１１６、１７６を、それぞれのプロセッサ１１４、１７４及び送受信機１１２、１７２を用いて（例えば、ＢＬＥを用いて）、互いに通信リンク１９２を確立するように構成することができる。通信リンク１９２を介して、それぞれの拡張現実アプリケーション１１６、１７６は、例えば、連携メッセージ１９４を交換することにより、連携を実施することができる。連携に基づいて、拡張現実アプリケーション１１６、１７６は、どの拡張現実デバイス１１０、１７０が物理装置１３０の制御に関して他方よりも優先権を持っているかを判断し、かつ、どの拡張現実デバイス１１０、１７０が、少なくとも最初に、物理装置１３０の制御を他方の拡張現実デバイス１１０、１７０に与えるかを決定することができる。こうした決定は、それぞれの拡張現実デバイス１１０、１７０のユーザの障害、年齢、身長等のレベルに基づくこと、又は他のいずれかの適切なパラメータに基づくことができる。
【００３５】
例として、各々のユーザ・プロファイル１１８、１７８及び／又は電子健康記録１２０、１８０は、それぞれのユーザの障害の重症度（例えば、重症度を示す値）を示すことができる。拡張現実アプリケーション１１６、１７６は、最も高い又は最も低い障害の重症度を有するユーザの拡張現実デバイス１１０が、物理装置１３０の制御に関して拡張現実デバイス１７０よりも優先権を持ち得るように決定することができる。従って、拡張現実デバイス１１０は、例えば、それぞれの拡張現実要求１６０を物理装置１３０に通信することによって手すり２１０の高さを調節するように、コントローラ１３４を開始させることができる。拡張現実要求１６０の受信に応答して、コントローラ１３４は、該拡張現実要求１６０に従って、物理装置１３０の構成を変更することができる。閾値期間の満了に応答して、又はユーザが斜面２１５、段、又は通路をトラバースするのに応答して、他方の拡張現実デバイス１７０は、別の拡張現実要求１９０を物理装置１３０に通信することができる。他方の拡張現実要求１９０の受信に応答して、コントローラ１３４は、例えば、拡張現実デバイス１７０のユーザのために手すりの高さを調節することによって、拡張現実要求１９０に従って物理装置１３０の構成を変更することができる。
【００３６】
拡張現実アプリケーション１７６は、拡張現実アプリケーション１１６及び／又は物理装置アプリケーション１４０と通信し、拡張現実要求１９０をいつ通信するかを決定することができる。例として、拡張現実アプリケーション１１６及び／又は物理装置アプリケーション１４０は、拡張現実デバイス１１０のユーザが斜面２１５、段、又は通路をトラバースすることを示すメッセージ（図示せず）を拡張現実アプリケーション１７６に通信することができる。
【００３７】
さらに別の構成において、拡張現実アプリケーション１１６、１７６はそれぞれ、複数のユーザが手すり２１０にアクセスしようと試みていることを示し、かつ、１又は複数の他のユーザが手すり２１０の使用を終えるまで、ユーザのための調節を遅らせることに同意するかどうかを指し示するよう、ユーザに促す情報を、それぞれのユーザに提示することができる。さらに、複数のユーザ用の高さ調節を連携するための他のあらゆるプロセスを実施することができ、本構成はこの点に限定されない。
【００３８】
図３は、拡張現実環境１００における可動棚３１０、３１２の例を示す。この例において、物理装置１３０は、制御構造体１３６（図１）として少なくとも１つの棚３１０、３１２を含むことができる。本構成は、可動棚３１０、３１２の数を限定するものではない。例えば、本構成は、１つの可動棚、２つの可動棚、３つの可動棚、４つの可動棚、５つの可動棚等を含むことができる。
【００３９】
棚３１０、３１２は、キャビネット３２０内に移動可能に配置することができるが、本構成はこの点に限定されない。例えば、棚３１０、３１２は、壁又は別の構造体に移動可能に取り付けることができる。説明されるように、各棚３１０、３１２の高さ３３０、３３２は調節可能とすることができる。さらに、高さ３３０、３３２は、拡張現実デバイス１１０（図１）のユーザが好む高さに調節することができる。このことは、ユーザへの棚３１０、３１２のアクセシビリティを容易にし、ユーザが棚３１０、３１２から項目にアクセスすること、及びそれらの項目を棚３１０、３１２上に置くことを容易にする。
【００４０】
図１及び図３を参照すると、拡張現実デバイス１１０は、例えば図１及び図２に関して既述したようなビーコン信号又はユーザ入力に基づいて、ユーザが棚３１０、３１２の閾値距離内にいるかどうかを判断することができる。ビーコン信号又はユーザ入力の検出に応答して、送受信機１１２及びプロセッサ１１４（図１に示される）を用いて、拡張現実アプリケーション１１６は、拡張現実要求１６０を物理装置１３０に通信することができる。拡張現実要求１６０は、棚３１０の好ましい高さ３３０及び／又は棚３１２の好ましい高さ３３２を示すことができる。拡張現実アプリケーション１１６は、ユーザ・プロファイル１１８又は電子健康記録１２０に基づいて、好ましい高さ３３０、３３２を決定し、好ましい高さ３３０及び／又は好ましい高さ３３２を含むように拡張現実要求１６０を生成することができる。
【００４１】
例えば図１及び図２に関して既述したように、拡張現実アプリケーション１１６は、拡張現実要求１６０を物理装置１３０に通信することができる。コントローラ１３４は、拡張現実要求１６０を処理し、ユーザにとっての棚３１０、３１２の好ましい高さ３３０、３３２を決定することができる。この点で、拡張現実要求１６０は、ユーザのために棚３１０／３１２の好ましい高さ３３０／３３２の調節を開始させることができる。高さ３３０、３３２は、キャビネット３２０の底部３４０から、それぞれの棚３１０、３１２の上部３５０、３５２まで測定する／定めること、床からそれぞれの棚３１０、３１２の上部３５０、３５２まで測定する／定めること、又は他のいずれかの適切な方法で測定する／定めることが可能である。
【００４２】
コントローラ１３４は、制御信号（図示せず）を１つ又は複数のアクチュエータ３６０に出力することができる。制御信号２３０は、アクチュエータ３６０を制御し、棚３１０、３１２を、例えば上下に垂直方向に所望の高さ３３０、３３２へ移動させることができる。１つの構成において、アクチュエータ３６０は、それぞれ棚３１０、３１２が取り付けられている構造支持部材３７０、３７２を上下に垂直方向に移動させる摺動式アクチュエータとすることができる。さらに、他のタイプのアクチュエータを使用することができ、本構成はこの点に限定されない。
【００４３】
１つの構成において、アクチュエータ３６０は、棚３１０、３１２の現在の高さを示すセンサ・データを生成するセンサ３８０を含むことができる。別の構成において、センサ３８０は、適切な位置においてアクチュエータ３６０の外部に配置することができる。１つの態様において、アクチュエー３６０は、センサ・データを処理し、例えば、棚３１０、３１２が移動される前、移動されるとき、及び移動された後などの任意の時点における棚３１０、３１２の高さを決定し、棚３１０、３１２が前の高さから所望の高さ３３０、３３２に移動されたことに応答して、棚３１０、３１２の移動を停止することができる。別の態様において、センサは、センサ・データをコントローラ１３４に通信することができ、コントローラ１３４は、センサ・データに応答して、制御信号２３０を生成することができる。この点で、コントローラ１３４は、アクチュエータ３６０を制御し、それぞれの棚３１０、３１２が所望の高さ３３０、３３２に移動されたことに応答して、棚３１０、３１２の移動を停止することができる。
【００４４】
この時点で、本構成は、図２及び図３の例に限定されないことに留意されたい。例えば、本明細書で説明される構成は、車椅子への／そこからの乗り降りを容易にするために車椅子の高さを調節する、及び、移動のために車椅子の高さを調節するように適用することができる。別の例において、本明細書で説明される構成は、車両への／そこからの乗り降りを容易にするために車両の高さを調節するように適用することができる。例えば、コントローラ１３４は、車両の空気サスペンション・システムを制御し、乗り／降りを助けるために車両を低下させ、移動のために車両を上昇させることができる。
【００４５】
図４は、拡張現実環境１００における標識４００の例を示す。この例において、物理装置１３０は、制御構造体１３６（図１）として標識４００を含むことができる。標識４００は、標識４００の少なくとも１つの部分４１０、４１２、４１４の少なくとも１つの色を変更するように動作可能である。１つの構成、例えば図４に示されるように標識４００が信号である構成において、標識４００の各部分４１０、４１２、４１４は、１つ又は複数の特定の色を提示し得るが、各々の色を同時に提示する必要はない。別の構成において、標識４００は、１つ又は複数の色でテキストを提示することができる。更に別の構成において、標識４００は、１つ又は複数の色で１つ又は複数のイメージを提示することができる。
【００４６】
ユーザが視覚障害（例えば、色覚異常）を有することがあり、その場合、ユーザは特定の色を識別することができず、そのことは、ユーザ・プロファイル１１８及び／又は電子健康記録１２０に示され得る。従って、ユーザは、標識４００により提示される異なる色を識別する能力を有さないことがある。しかしながら、本構成は、標識４００の様々な部分４１０、４１２、４１４のユーザの認識を助けることができる。図示のように、ユーザは、ユーザが赤色と緑色を区別できない赤緑色覚障害を有することがある。本構成は、ユーザが認識可能な色で、標識４００の様々な部分４１０、４１２、４１４の１つ又は複数を提示することができる。従って、ユーザは、部分４１０、４１２、４１４を混同せず、その意味（例えば、注意、停まれ、又は進め）を理解するであろう。以下の例において、ユーザは、道路を移動している車両の運転者であり、標識４００に遭遇すると仮定することができる。
【００４７】
図１及び図４を参照すると、ビーコン信号又はユーザ入力の検出に応答して、拡張現実アプリケーション１１６は、送受信機１１２及びプロセッサ１１４（図１に示される）を用いて、既述のように、拡張現実要求１６０を物理装置１３０に通信することができる。別の構成において、拡張現実アプリケーション１１６は、拡張現実デバイス１１０のＧＰＡ受信機（図示）により生成されるＧＰＳデータを用いて、ユーザ（例えば、ユーザが使用する拡張現実デバイス１１０）が標識４００の閾値距離内にいると判断することができる。ユーザが標識４００の閾値距離内にいるとの判断に応答して、拡張現実アプリケーション１１６は、拡張現実要求１６０をコントローラ１３４に通信することができる。
【００４８】
拡張現実要求１６０は、標識４００の様々な部分４１０、４１２、４１４の１つ又は複数について好ましい色を示すことができる。例えば、ユーザが赤緑色覚障害を有すると仮定する。標識４００の部分４１０は、一般的には、赤色の光を提示し、標識４００の部分４１４は、一般的には、緑色の光を提示するので、ユーザは、標識４００の部分４１０、４１４により提示されるそれぞれの色を識別するのが困難であり得る。
【００４９】
それにもかかわらず、本構成は、この問題に対処する。標識４００の部分４１０が通常赤色で提示される場合、拡張現実要求１６０は、例えば茶色などの、部分４１０に照らされる別の好ましい色の光を示すことができる。同様に、標識４００の部分４１４が通常緑色で提示される場合、拡張現実要求１６０は、例えば青色などの、部分４１４に照らされる別の好ましい色の光を示すことができる。拡張現実アプリケーション１１６は、ユーザ・プロファイル１１８及び／又は電子健康記録１２０の処理に基づいて、好ましい色を決定することができる。
【００５０】
コントローラ１３４は、拡張現実要求１６０の受信に応答して、照らされるときに、標識４００の部分４１０、４１４をそれぞれの好ましい色で提示するように構成することができる。例えば、コントローラは、制御信号を、ランプ５１０を制御するスイッチ／コントローラに通信することができる。スイッチ／コントローラは、標識４００の部分４１０、４１４を、照らされるときに、所望の色を提示するように構成することができる。
【００５１】
他の運転者が標識４００に遭遇することもあり、好ましい色が他の運転者には分かりにくいことがある。それにもかかわらず、コントローラ１３４は、拡張現実要求１６０の受信に応答して、異なる色を同時に提示するように、又は異なる色を連続的に繰り返し提示するように構成することができる。例えば、コントローラ１３４は、標識４００の部分４１０について、赤色ランプ及び茶色ランプの両方を同時に照らすように構成することができる。同様に、コントローラ１３４は、標識４００の部分４１４について、緑色ランプ及び青色ランプの両方を同時に照らすように構成することもできる。別の例において、ランプは、いずかの特定の期間に特定の色を提示するように構成することができる。ランプは、例えば、２つ又はそれより多い色を照らすように構成されたＬＥＤランプとすることができる。コントローラ１３４は、標識４００の部分４１０について、赤色光と茶色光の提示を繰り返すようにランプを制御することができる。さらに、コントローラ１３４は、標識４００の部分４１４について、緑色光と青色光の提示を繰り返すようにランプを制御することができる。
【００５２】
別の構成、例えば、拡張現実デバイス１１０がスマート・グラス又は拡張現実ヘッドセットとして実装される構成において、拡張現実アプリケーション１１６は、プロセッサ１１４を介して、好ましい色を、拡張現実デバイス１１０により提示される標識４００の実世界のビューに重ね合わせることができる。この点で、拡張現実デバイス１１０は、標識４００の実世界の提示を拡張することができる。
【００５３】
例えば、拡張現実デバイス１１０は、標識４００のイメージをキャプチャし、スマート・グラスのレンズ又は拡張現実ヘッドセットのディスプレイを介して、イメージをユーザに提示するイメージ・キャプチャ・デバイスを含むことができる。拡張現実アプリケーション１１６は、標識４００の部分４１０、４１２、４１４により提示される光の色を、リアルタイムで認識することができる。さらに、拡張現実アプリケーション１１６は、ユーザ・プロファイル１１８又は電子健康記録１２０に基づいて、ユーザが識別できない光の色を判断することができる。拡張現実アプリケーション１１６は、ユーザ・プロファイル１１８又は電子健康記録１２０に基づいて、標識４００のそれぞれの部分４１０、４１２、４１４上に重ね合わせるように色をリアルタイムで選択し、ユーザの標識の理解を容易にすることができる。拡張現実アプリケーション１１６は、イメージ提示デバイス（例えば、イメージ／色をスマート・グラスのレンズ上に投影する、又はイメージ／色を拡張現実ヘッドセットのディスプレイ上に提示する）を用いて、ユーザに対する視覚化のために、標識４００のそれぞれの部分４１０、４１２、４１４について選択された色を提示することができる。例えば、標識４００の部分４１０が赤色で照らされる場合、拡張現実アプリケーション１１６は、標識のその部分が照らされるとき、標識４００の部分４１０の上に茶色を提示することができ、標識のその部分が照らされるとき、標識の部分４１４の上に青色を提示することができる。
【００５４】
図５は、拡張現実環境１００における照明システム５００の例を示す。この例において、物理装置１３０は、制御デバイス１３６（図１）として照明システム５００のランプ５１０を含むことができる。照明システム５００は、ユーザが第１の位置（例えば、ユーザの現在の位置）から少なくとも第２の位置（例えば、ユーザが移動したいと思う位置）へ移動する（例えば、安全に移動する）ための経路５２０を照らすことができる。
【００５５】
図１及び図５を参照すると、コントローラ１３４は、拡張現実デバイス１１０から拡張現実要求１６０を受信することに応答して、経路５２０を照らすように、ランプ５１０を制御することができる。さらに、拡張現実要求１６０は、経路５２０を１つ又は複数の特定の色で照らすように、コントローラ１３４に指示することができる。こうした色は、ユーザにより他の色と区別できる色とすることができる。図示において、ユーザは、ユーザが特定の色を識別できない視覚異常を有することがある。拡張現実要求１６０は、経路５２０を照らすべき好ましい色を示すことができるので、ユーザは、こうした照明を、ユーザが視覚的に受け取ることができる他の光と区別することができる。
【００５６】
１つの構成において、拡張現実要求１６０は、拡張現実デバイス１１０における１又は複数のユーザ入力に応答して生成することができる。例えば、ユーザは、拡張現実デバイス１１０のユーザ・インターフェースにより提示されるメニュー項目を選択することができる。メニュー項目は、例えば、最も近い出口を見つける要求を示すメニュー項目、特定の位置へ進む要求を示すメニュー項目等とすることができる。メニュー項目のユーザ選択に応答して、拡張現実アプリケーションは、プロセッサ１１４を用いて、拡張現実要求１６０を生成することができる。プロセッサ１１４及び送受信機１１２を用いて、拡張現実アプリケーションは、拡張現実要求１６０を送受信機１３２に通信することができ、送受信機１３２は、拡張現実要求１６０をコントローラ１３４に通信することができる。
【００５７】
コントローラ１３４は、拡張現実要求１６０を処理し、それに応じて、経路５２０を照らすのに適切なランプ５１０を選択し、制御信号をそれらのランプに（例えば、ランプ５１０を制御するスイッチ／コントローラに）通信してランプ５１０を照らすことができる。ランプ５１０は、複数の色の光を生成するように構成することができる。例えば、各ランプ５１０は、２又はそれ以上の色を照らすように構成された１つ又は複数のＬＥＤランプを含むことができる。
【００５８】
拡張現実要求１６０に基づいて、制御信号は、それぞれのランプ５１０が生成すべき光の色を指し示すことができる。例えば、拡張現実要求１６０は、１つ又は複数の特定の色の光を示すことができ、コントローラ１３４は、制御信号を生成して１つ又は複数の特定の色の光を示すことができる。拡張現実アプリケーション１１６は、ユーザのユーザ・プロファイル１１８及び／又は電子健康記録１２０に基づいて、特定の色の光を選択することができる。例えば、ユーザが特定の色の光を識別するのが困難である場合、拡張現実アプリケーション１１６は、ユーザが識別できる１つ又は複数の色を選択することができる。
【００５９】
別の構成、例えば、拡張現実デバイス１１０がスマート・グラス又は拡張現実ヘッドセットとして実装される構成において、拡張現実アプリケーション１１６は、プロセッサ１１４を介して、拡張現実デバイス１１０によってユーザに提示される実世界環境の提示の上に経路５２０を重ね合わせることができる。この点で、拡張現実デバイス１１０は、例えば、図４に関して説明されるものと類似した方法で、経路５２０により実世界の提示を拡張することができる。
【００６０】
図６は、拡張現実環境１００における照明する構成可能な物理構造体１３０の例を示す。この例において、物理構造体１３０は、壁、床、天井、パネル等とすることができる。物理構造体１３０は、光を発するように構成された少なくとも１つのディスプレイ６００を含むことができる。１つの構成において、物理構造体１３０は、複数のディスプレイ６００を含むことができる。ディスプレイ６００の例は、これらに限定されるものではないが、発光ダイオード（ＬＥＤ）ディスプレイ、有機ＬＥＤ（ＯＬＥＤ）ディスプレイ、液晶ディスプレイ（ＬＣＤ）、プラズマ・ディスプレイ等を含むことができる。別の例において、ディスプレイ６００は、複数の光ファイバ・ライト・チューブ（図示せず）を含む光ファイバ・ディスプレイとすることができる。各々の光ファイバ・ライト・チューブの第１の端部は、ディスプレイ６００の表面と同一平面とすること、ディスプレイ６００の表面の後ろに陥凹していること、又はディスプレイ６００の表面から突出していることが可能である。各々のチューブの第２の端部は、ランプ（例えば、ＬＥＤ）に取り付けること、又はランプに近接して配置することができる。各々の光ファイバ・チューブは、光ファイバ・チューブの第１の端部を通してそれぞれのランプにより生成される光を発することができる。別の例において、ディスプレイ６００は、イメージを物理構造体１３０の上に投影するイメージ・プロジェクタを含むことができる。
【００６１】
図１及び図６を参照すると、コントローラ１３４は、ユーザが第１の位置（例えば、ユーザの現在の位置）から少なくとも第２の位置へ移動する（例えば、安全に移動する）ための経路６１０を照らすように、ディスプレイ６００を制御することができる。コントローラ１３４は、拡張現実デバイス１１０から拡張現実要求１６０を受信することに応答して、経路６１０を照らすようにディスプレイ６００を制御することができる。さらに、拡張現実要求１６０は、経路６１０を１つ又は複数の特定の色で照らすように、コントローラ１３４に指示することができる。
【００６２】
別の構成において、コントローラ１３４は、拡張現実デバイス１１０から拡張現実要求１６０を受信することに応答して、ディスプレイ６００を選択的に制御し、物理装置１３０の色又はテクスチャを視覚的に示す照明される色のスキームを変更することができる。例えば、コントローラ１３４は、ディスプレイ６００を制御し、ディスプレイ６００上に示される色又はテクスチャを変更することにより、ディスプレイ６００の、従って、物理構造体１３０の視覚的外観を変更することができる。
【００６３】
図示において、物理装置１３０が天井である場合、コントローラ１３４は、ディスプレイ６００を制御し、ディスプレイにより提示される１つ又は複数のイメージを変更することができる。例えば、第１のセットのイメージは、天井タイルのイメージとすることができる。天井タイルのイメージは、特定のテクスチャを提示することができる。こうしたテクスチャは、イメージの変更に応答して変更することができる。従って、物理装置１３０は、特定のタイプの天井のように見えることが可能である。拡張現実デバイス１１０から拡張現実要求１６０を受信することに応答して、コントローラ１３４は、ディスプレイ６００を制御し、イメージを、例えば異なる天井タイルを示すイメージに変更することができる。従って、物理装置１３０は、異なるタイプの天井のように見えることが可能である。物理装置１３０が床である場合、ディスプレイ６００により提示される第１のセットのイメージは、木質床材を示すイメージとすることができる。従って、物理装置１３０は、木のテクスチャを含む木質床のように見えることが可能である。拡張現実デバイス１１０から拡張現実要求１６０を受信することに応答して、コントローラ１３４は、ディスプレイ６００を制御し、イメージを、例えば大理石の床材を示すイメージに変更することができる。従って、物理装置１３０は、大理石の床のように見えることが可能である。物理装置１３０が壁である場合、ディスプレイ６００により提示される第１のセットのイメージは、１つ又は複数の芸術作品を示すイメージとすることができる。拡張現実デバイス１１０から拡張現実要求１６０を受信することに応答して、コントローラ１３４は、ディスプレイ６００を制御し、イメージを、例えば１つ又は複数の他の芸術作品を示すイメージとすることができる。他の構成において、コントローラ１３４は、ディスプレイ６００を制御し、様々な色、及び／又は色及び視覚テクスチャの組み合わせを提示することができる。例えば、ディスプレイ６００は、カーペットの鋼製格子イメージのイメージ等を提示することができる。
【００６４】
図７は、拡張現実デバイス１１０についての例示的なコンピューティング・アーキテクチャを示すブロック図である。拡張現実デバイス１１０は、同様の方法で構成することができる。拡張現実デバイス１１０は、システム・バス７１５又は他の適切な回路を通してメモリ要素７１０に結合された少なくとも１つのプロセッサ１１４（例えば、中央処理ユニット）を含むことができる。従って、拡張現実デバイス１１０は、プログラム・コードをメモリ要素７１０内に格納することができる。プロセッサ１１４は、システム・バス７１５を介してメモリ要素７１０からアクセスされるプログラム・コードを実行することができる。
【００６５】
メモリ要素７１０は、例えば、ローカル・メモリ７２０及び１つ又は複数のバルク・ストレージ・デバイス７２５のような１つ又は複数の物理メモリ・デバイスを含むことができる。ローカル・メモリ７２０は、ランダム・アクセス・メモリ（ＲＡＭ）、又はプログラム・コードの実際の実行中に一般的に使用される他の非一時的メモリ・デバイスを指すことができる。バルク・ストレージ・デバイス７２５は、ハードディスク・ドライブ（ＨＤＤ）、ソリッド・ステート・ドライブ（ＳＳＤ）、又は他の永続的データ・ストレージ・デバイスとして実装することができる。拡張現実デバイス１１０は、実行中、バルク・ストレージ・デバイス７２５からプログラム・コードを取り出さねばならない回数を減らすために、少なくとも幾つかのプログラム・コードの一時的格納を提供する１つ又は複数のキャッシュ・メモリ（図示せず）を含むこともできる。
【００６６】
ユーザ・インターフェース７３０及び送受信機１１２のような入力／出力（Ｉ／Ｏ）デバイスは、直接又は介在するＩ／Ｏコントローラを介して拡張現実デバイス１１０に結合することができる。ユーザ・インターフェース７３０は、１つ又は複数のディスプレイ、１つ又は複数の投影デバイス、１つ又は複数の入力／入力音声デバイス等を含むことができる。
【００６７】
図７に図示されるように、メモリ要素７１０は、拡張現実デバイス１１０のコンポーネント、すなわち、拡張現実アプリケーション１１６、ユーザ・プロファイル１１８、及び随意的に電子健康記録１２０を格納することができる。拡張現実アプリケーション１１６は、実行可能なプログラム・コードの形で実装され、プロセッサ１１４により実行することができ、従って、拡張現実デバイス１１０の一部と考えることができる。さらに、拡張現実アプリケーション１１６、ユーザ・プロファイル１１８、及び電子健康記録１２０は、拡張現実デバイス１１０の一部として用いられるときに機能を与える機能データ構造体である。
【００６８】
図８は、物理装置１３０の例示的なコンピューティング・アーキテクチャを示すブロック図である。物理装置１３０は、システム・バス８１５又は他の適切な回路を通じてメモリ要素８１０に結合された少なくとも１つのコントローラ１３４を含むことができる。従って、物理装置１３０は、プログラム・コードをメモリ要素８１０内に格納することができる。コントローラ１３４は、システム・バス８１５を介してメモリ要素８１０からアクセスされるプログラム・コードを実行することができる。
【００６９】
メモリ要素８１０は、例えば、ローカル・メモリ８２０及び１つ又は複数のバルク・ストレージ・デバイス８２５のような１つ又は複数の物理メモリ・デバイスを含むことができる。物理装置１３０は、実行中、バルク・ストレージ・デバイス８２５からプログラム・コードを取り出さねばならない回数を減らすために、少なくとも幾つかのプログラム・コードの一時的格納を提供する１つ又は複数のキャッシュ・メモリ（図示せず）を含むこともできる。
【００７０】
送受信機１３２のような入力／出力（Ｉ／Ｏ）デバイスは、直接又は介在するＩ／Ｏコントローラを介して物理装置１３０に結合することができる。１つ又は複数のアクチュエータ１３８は、直接又介在するＩ／Ｏコントローラを通して物理装置１３０に結合することもできる。１つの構成において、アクチュエータ１３８は、１つ又は複数の制御デバイス及び／又は構造体１３６に結合することができる。別の構成、例えば、制御デバイス及び／又は構造体１３６がランプである構成において、物理装置１３０は、アクチュエータ１３８に加えて、又はその代わりにスイッチ／コントローラを含むことができる。
【００７１】
図８に示されるように、メモリ要素８１０は、物理装置１３０のコンポーネント、すなわち、物理装置アプリケーション１４０を格納することができる。物理装置アプリケーション１４０が実行可能なプログラム・コードの形で実装される構成において、物理装置アプリケーション１４０は、コントローラ１３４により実行することができ、従って、物理装置１３０の部分と考えることができる。コントローラ１３４が、プログラマブル論理回路、ＦＰＧＡ、ＰＬＡ等を含む構成において、物理装置アプリケーション１４０は、こうしたコントローラ１３４内に実装することができる。物理装置アプリケーション１４０は、物理装置１３０の一部として用いられるときに機能を与える機能データ構造体である。
【００７２】
図９は、構成を変更するために物理構造体を開始させる方法９００の例を示すフローチャートである。方法９００は、図１の拡張現実デバイス１１０により実施することができる。
【００７３】
ステップ９０５において、拡張現実デバイス１１０は、拡張現実デバイスのユーザが構成可能な物理装置から閾値距離内にいるかどうかを判断することができる。ステップ９１０において、拡張現実デバイス１１０は、ユーザが構成可能な物理装置から閾値距離内にいるとの判断に応答して、拡張現実デバイスと構成可能な物理装置のコントローラとの間に通信リンクを確立することができる。ステップ９１５において、拡張現実デバイス１１０は、構成可能な物理装置を第１の構成から第２の構成に変更するように、構成可能な物理装置のコントローラを開始させ、第２の構成は、ユーザへの構成可能な物理装置のアクセシビリティを容易にする。
【００７４】
本開示は、新規な特徴を定める特許請求の範囲で締めくくられているが、本明細書で説明される種々の特徴は、本説明を図面と共に考慮するとより良く理解されるであろう。本開示内で説明されるプロセス、機械、製造及びそれらのあらゆる変形は、例証の目的で提供される。説明されるあらゆる具体的な構造及び機能は、限定として解釈すべきものではなく、単に、特許請求の範囲の基礎として、及び、事実上あらゆる適切に詳述された構造で説明された特徴を様々に使用することを当業者に教示するための代表的な基礎として解釈すべきものである。さらに、本開示内で用いる用語及び語句は、限定を意図したものではなく、説明される特徴の理解可能な説明を提供することを意図している。
【００７５】
説明を簡単かつ明確にするために、図に示される要素は、必ずしも縮尺通りに描かれていない。例えば、要素の幾つかの寸法は、明確にするために他の要素に対して強調されることがある。さらに、適切と考えられる場合、対応する、類似した、又は同様の特徴を示すように図の間で参照符号が繰り返される。
【００７６】
本発明は、システム、方法、及び／又はコンピュータ・プログラム製品とすることができる。コンピュータ・プログラム製品は、プロセッサに、本発明の態様を実行させるためのコンピュータ可読プログラム命令をその上に有するコンピュータ可読ストレージ媒体を含むことができる。
【００７７】
コンピュータ可読ストレージ媒体は、命令実行デバイスにより使用される命令を保持及び格納できる有形デバイスとすることができる。コンピュータ可読ストレージ媒体は、例えば、これらに限定されるものではないが、電子記憶装置、磁気記憶装置、光学記憶装置、電磁気記憶装置、半導体記憶装置、又は上記のいずれかの適切な組み合わせとすることができる。コンピュータ可読ストレージ媒体のより具体的な例の非網羅的なリストとして、以下のもの：すなわち、ポータブル・コンピュータ・ディスケット、ハードディスク、ランダム・アクセス・メモリ（ＲＡＭ）、読み出し専用メモリ（ＲＯＭ）、消去可能プログラム可能読み出し専用メモリ（ＥＰＲＯＭ又はフラッシュメモリ）、スタティック・ランダム・アクセス・メモリ（ＳＲＡＭ）、ポータブル・コンパクト・ディスク読み出し専用メモリ（ＣＤ−ＲＯＭ）、デジタル多用途ディスク（ＤＶＤ）、メモリ・スティック、フロッピー・ディスク、パンチカード若しくは命令がそこに記録された溝内の隆起構造のような機械的にエンコードされたデバイス、及び上記のいずれかの適切な組み合わせが挙げられる。本明細書で使用される場合、コンピュータ可読ストレージ媒体は、電波、又は他の自由に伝搬する電磁波、導波管若しくは他の伝送媒体を通じて伝搬する電磁波（例えば、光ファイバ・ケーブルを通る光パルス）、又はワイヤを通って送られる電気信号などの、一時的信号自体として解釈されない。
【００７８】
本明細書で説明されるコンピュータ可読プログラム命令は、コンピュータ可読ストレージ媒体からそれぞれのコンピューティング／処理デバイスに、又は、例えばインターネット、ローカル・エリア・ネットワーク、広域ネットワーク、及び／又は無線ネットワークなどのネットワーク（図示せず）を介して、外部コンピュータ又は外部ストレージ・デバイスにダウンロードすることができる。ネットワークは、銅伝送ケーブル、光伝送ファイバ、無線伝送、ルータ、ファイアウォール、スイッチ、ゲートウェイ・コンピュータ、及び／又はエッジ・サーバを含むことができる。各コンピューティング／処理デバイスにおけるネットワーク・アダプタ・カード又はネットワーク・インターフェースは、ネットワークからコンピュータ可読プログラム命令を受け取り、コンピュータ可読プログラム命令を転送して、それぞれのコンピューティング／処理デバイス内のコンピュータ可読ストレージ媒体に格納する。
【００７９】
本発明の動作を実行するためのコンピュータ可読プログラム命令は、アセンブラ命令、命令セットアーキテクチャ（ＩＳＡ）命令、マシン命令、マシン依存命令、マイクロコード、ファームウェア命令、状態設定データ、又は、Ｓｍａｌｌｔａｌｋ、Ｃ＋＋などのオブジェクト指向プログラミング言語、及び、「Ｃ」プログラミング言語若しくは類似のプログラミング言語などの通常の手続き型プログラミング言語を含む１つ又は複数のプログラミング言語の任意の組み合わせで記述することができる。コンピュータ可読プログラム命令は、完全にユーザのコンピュータ上で実行される場合もあり、一部がユーザのコンピュータ上で、独立型ソフトウェア・パッケージとして実行される場合もあり、一部がユーザのコンピュータ上で実行され、一部が遠隔コンピュータ上で実行される場合もあり、又は完全に遠隔コンピュータ若しくはサーバ上で実行される場合もある。最後のシナリオにおいて、遠隔コンピュータは、ローカル・エリア・ネットワーク（ＬＡＮ）若しくは広域ネットワーク（ＷＡＮ）を含むいずれかのタイプのネットワークを通じてユーザのコンピュータに接続される場合もあり、又は外部コンピュータへの接続がなされる場合もある（例えば、インターネットサービスプロバイダを用いたインターネットを通じて）。幾つかの実施形態において、例えば、プログラム可能論理回路、フィールド・プログラマブル・ゲート・アレイ（ＦＰＧＡ）、又はプログラム可能論理アレイ（ＰＬＡ）を含む電子回路は、コンピュータ可読プログラム命令の状態情報を用いて電子回路を個人化することによりコンピュータ可読プログラム命令を実行し、本発明の態様を実施することができる。
【００８０】
本発明の態様は、本発明の実施形態による方法、装置（システム）及びコンピュータ・プログラム製品のフローチャート図及び／又はブロック図を参照して説明される。フローチャート図及び／又はブロック図の各ブロック、並びにフローチャート図及び／又はブロック図内のブロックの組み合わせは、コンピュータ可読プログラム命令によって実装できることが理解されるであろう。
【００８１】
これらのコンピュータ可読プログラム命令を、汎用コンピュータ、専用コンピュータ、又は他のプログラム可能データ処理装置のプロセッサに与えてマシンを製造し、それにより、コンピュータ又は他のプログラム可能データ処理装置のプロセッサによって実行される命令が、フローチャート及び／又はブロック図の１つ又は複数のブロック内で指定された機能／動作を実施するための手段を作り出すようにすることができる。これらのコンピュータ・プログラム命令を、コンピュータ、他のプログラム可能データ処理装置、及び／又は他のデバイスを特定の方式で機能させるように指示することができるコンピュータ可読媒体内に格納し、それにより、そのコンピュータ可読媒体内に格納された命令が、フローチャート及び／又はブロック図の１つ又複数のブロックにおいて指定された機能／動作の態様を実施する命令を含む製品を含むようにすることもできる。
【００８２】
コンピュータ・プログラム命令を、コンピュータ、他のプログラム可能データ処理装置、又は他のデバイス上にロードして、一連の動作ステップをコンピュータ、他のプログラム可能データ処理装置、又は他のデバイス上で行わせてコンピュータ実施のプロセスを生成し、それにより、コンピュータ又は他のプログラム可能装置上で実行される命令が、フローチャート及び／又はブロック図の１つ又は複数のブロックにおいて指定された機能／動作を実行するためのプロセスを提供するようにすることもできる。
【００８３】
図面内のフローチャート及びブロック図は、本発明の種々の実施形態による、システム、方法、及びコンピュータ・プログラム製品の可能な実装の、アーキテクチャ、機能及び動作を示す。この点に関して、フローチャート内の各ブロックは、指定された論理機能を実装するための１つ又は複数の実行可能命令を含む、モジュール、セグメント、又はコードの一部を表すことができる。幾つかの代替的な実装において、ブロック内に示される機能は、図に示される順序とは異なる順序で生じることがある。例えば、連続して示される２つのブロックは、関与する機能に応じて、実際には実質的に同時に実行されることもあり、又はこれらのブロックはときとして逆順で実行されることもある。ブロック図及び／又はフローチャート図の各ブロック、及びブロック図及び／又はフローチャート図内のブロックの組み合わせは、指定された機能又は動作を実行する、又は専用のハードウェアとコンピュータ命令との組み合わせを実行する、専用ハードウェア・ベースのシステムによって実装できることにも留意されたい。
【００８４】
本明細書で用いられる用語は、特定の実施形態を説明することのみを目的とし、本発明を限定することを意図したものではない。本明細書内で用いられる場合、単数形「１つの（a）」、「１つの（an）」及び「その（the）」は、文脈がそうでないことを明確に示していない限り、複数形も含むことを意図している。さらに、用語「含む（include）」、「含んでいる（including）」、「含む（comprise）」、及び／又は「含んでいる（comprising）」は、本開示で用いられる場合、記述された特徴、整数、ステップ、動作、要素、及び／又はコンポーネントの存在を指定するが、１つ又は複数の他の特徴、整数、ステップ、動作、要素、コンポーネント、及び／又はその群の存在又は付加を除外するものではないことが理解されるであろう。
【００８５】
本開示の全体を通して、「１つの実施形態（one embodiment）」、「実施形態（an embodiment）」、「１つの構成（one arrangement）」、「構成（an arrangement）」、「１つの態様（one aspect）」、「態様（an aspect）」、又は類似の言語への言及は、その実施形態に関連して説明される特定の特徴、構造、又は特性が、本開示内に説明される少なくとも１つの実施形態に含まれていることを意味する。従って、「１つの実施形態」、「実施形態」、「１つの構成」、「構成」、「１つの態様」、「態様」、又は類似の言語の出現は、本開示の全体を通じて、必ずというわけではないが、全て同一の実施形態を指すことがある。
【００８６】
本明細書で用いられる場合、用語「複数（plurality）」は、２又は２より多いものとして定められる。本明細書で用いる「別の」という用語は、少なくとも第２の又はもっと多くのものとして定義される。本明細書で用いられる場合、用語「結合される（coupled）」は、特段の断りのない限り、介在要素を伴わずに直接的に接続するか又は１つ又は複数の介在要素を伴って間接的に接続されるかのいずれかとして定義される。２つの要素は、機械的に、電気的に、又は通信チャネル、経路、ネットワーク若しくはシステムを通じて通信可能に、リンクすることができる。本明細書で用いられる場合、用語「及び／又（and/or）」は、関連して列挙した項目の１つ又は複数のもののいずれかの及び全ての可能な組み合わせを指し及び包含する。第１、第２等の用語は、本明細書において種々の要素を説明するために用いられている場合があるが、これらの要素は、これらの用語によって限定されるべきではなく、それは、これらの用語は、特段の断りのない限り又は文脈がそうでないことを示唆していない限り、単に１つの要素を別の要素と区別するために用いられているに過ぎないからである。
【００８７】
用語「〜の場合（if）」は、文脈に応じて、「〜のとき」又は「〜すると」又は「判断に応答して」又は「検出に応答して」を意味するものとして解釈することができる。同様に、「それが判断された場合」又は「［記述された条件又はイベント］が検出された場合」という語句は、文脈に応じて、「判断されると」又は「判断に応答して」又は「［記述された条件又はイベント］が検出されると」又は「［記述された条件又はイベント］の検出に応答して」を意味すると解釈することができる。
【００８８】
本発明の種々の実施形態の説明は、例証の目的で提示したものであるが、網羅的であることも、又は開示された実施形態に限定することも意図しない。説明される実施形態の範囲から逸脱することなく、当業者には、多くの修正及び変形が明らかであろう。本明細書で用いられる用語は、実施形態の原理、実際的な用途、若しくは市場において見出される技術に優る技術的改善を最も良く説明するように、又は当業者が本明細書に含まれる実施形態を理解することを可能にするように、選択されたものである。
【符号の説明】
【００８９】
１００：拡張現実環境
１１０、１７０：拡張現実デバイス
１１２、１３２、１７２：送受信機
１１４、１７４：プロセッサ
１１６、１７６：拡張現実アプリケーション
１１８、１７８：ユーザ・プロファイル
１２０、１８０：電子健康記録
１３０：物理装置
１３４：コントローラ
１３６：制御デバイス／構造体
１３８、３６０：アクチュエータ
１４０：物理装置アプリケーション
１５０、１５２、１９２：通信リンク
１６０、１９０：拡張現実要求
１９４：連携メッセージ
２１０：手すり
２１５：斜面
２２０：（手すりの）高さ
２２５、３６０：アクチュエータ
２３０：制御信号
２３５、３７０、３７２：構造支持部材
２４０、３８０：センサ
３１０、３１２：棚
３２０：キャビネット
３３０、３３２：（棚の）高さ
４００：標識
４１０、４１２、４１４：(標識の)部分
５１０：ランプ
５２０、６１０：経路
６００：ディスプレイ
７１０、８１０：メモリ要素
７２０、８２０：ローカル・メモリ
７１５、８１５：システム・バス
７２５、８２５：バルク・ストレージ・デバイス
７３０：ユーザ・インターフェース
【図１】
2020527767.tif 000003
【図２】
2020527767.tif 000004
【図３】
2020527767.tif 000005
【図４】
2020527767.tif 000006
【図５】
2020527767.tif 000007
【図６】
2020527767.tif 000008
【図７】
2020527767.tif 000009
【図８】
2020527767.tif 000010
【図９】
2020527767.tif 000011
【手続補正書】
【提出日】令和2年5月26日(2020.5.26)
【手続補正１】
【補正対象書類名】特許請求の範囲
【補正対象項目名】全文
【補正方法】変更
【補正の内容】
【特許請求の範囲】
【請求項１】
拡張現実デバイスのユーザが構成可能な物理装置から閾値距離内にいるかどうかを判断することと、
前記ユーザが前記構成可能な物理装置から閾値距離内にいると判断することに応答して、前記拡張現実デバイスと前記構成可能な物理装置のコントローラとの間に通信リンクを確立することと、
前記拡張現実デバイスにより、前記構成可能な物理装置を第１の構成から第２の構成に変更するように、前記構成可能な物理装置のコントローラを開始させることであって、前記第２の構成は、前記ユーザへの前記構成可能な物理装置のアクセシビリティを容易にする、開始させることと、
を含む方法。
【請求項２】
前記構成可能な物理装置は手すりを含み、
前記構成可能な物理装置を前記第１の構成から前記第２の構成に変更することは、前記手すりを第１の高さから第２の高さに移動させることを含む、請求項１に記載の方法。
【請求項３】
前記構成可能な物理装置は棚を含み、
前記構成可能な物理装置を前記第１の構成から前記第２の構成に変更することは、前記棚を第１の高さから第２の高さに移動させることを含む、請求項１に記載の方法。
【請求項４】
前記構成可能な物理装置は標識を含み、
前記構成可能な物理装置を前記第１の構成から前記第２の構成に変更することは、前記標識の少なくとも１つの部分の色を第１の色から第２の色に変更することを含む、請求項１に記載の方法。
【請求項５】
前記構成可能な物理装置はランプを含み、
前記構成可能な物理装置を前記第１の構成から前記第２の構成に変更することは、前記ランプの色を第１の色から第２の色に変更することを含む、請求項１に記載の方法。
【請求項６】
前記構成可能な物理装置は複数のランプを含み、
前記構成可能な物理装置を前記第１の構成から前記第２の構成に変更することは、前記ユーザが第１の位置から少なくとも１つの第２の位置へ移動するための経路を照らすように、前記複数のランプを制御することを含む、請求項１に記載の方法。
【請求項７】
前記構成可能な物理装置は、光を発するように構成された少なくとも１つのディスプレイを含み、
前記構成可能な物理装置を前記第１の構成から前記第２の構成に変更することは、前記構成可能な物理装置の色又はテクスチャを視覚的に示す照明カラー・スキームを変更するように、前記ディスプレイを選択的に制御することを含む、請求項１に記載の方法。
【請求項８】
前記拡張現実デバイスは第１の拡張現実デバイスであり、第２の拡張現実デバイスは、前記構成可能な物理装置から前記閾値距離内にあり、前記方法は、
前記第１の拡張現実デバイスが、前記第１の拡張現実デバイスと前記第２の拡張現実デバイスとの間で少なくとも１つのメッセージを交換することにより、前記第２の拡張現実デバイスと連携することと、
前記少なくとも１つのメッセージに基づいて、少なくとも前記第１の拡張現実デバイスは、前記第１の拡張現実デバイスが、前記構成可能な物理装置の制御に関して前記第２の拡張現実デバイスよりも優先権を持っていると判断することと、
をさらに含み、
前記拡張現実デバイスにより、前記構成可能な物理装置を第１の構成から第２の構成に変更するように、前記構成可能な物理装置の前記コントローラを開始させることは、さらに、前記第１の拡張現実デバイスが前記構成可能な物理装置の制御に関して優先権を持っていると判断することに応答する、請求項１に記載の方法。
【請求項９】
前記ユーザの電子健康記録にアクセスすることと、
前記ユーザの前記電子健康記録に基づいて前記第２の構成を自動的に判断することと、
をさらに含む、請求項１に記載の方法。
【請求項１０】
前記ユーザのユーザ・プロファイルにアクセスすることと、
前記ユーザの前記ユーザ・プロファイルに基づいて前記第２の構成を自動的に判断することと、
をさらに含む、請求項１に記載の方法。
【請求項１１】
拡張現実デバイスであって、
拡張現実デバイスのユーザが構成可能な物理装置から閾値距離内にいるかどうかを判断することと、
前記ユーザが前記構成可能な物理装置から閾値距離内にいると判断することに応答して、前記拡張現実デバイスと前記構成可能な物理装置のコントローラとの間に通信リンクを確立することと、
前記構成可能な物理装置を第１の構成から第２の構成に変更するように、前記構成可能な物理装置のコントローラを開始させることであって、前記第２の構成は、前記ユーザへの前記構成可能な物理装置のアクセシビリティを容易にする、開始させることと、
を含む実行可能な動作を開始させるようにプログラムされたプロセッサを含む、拡張現実デバイス。
【請求項１２】
前記構成可能な物理装置は手すりを含み、
前記構成可能な物理装置を前記第１の構成から前記第２の構成に変更することは、前記手すりを第１の高さから第２の高さに移動させることを含む、請求項１１に記載の拡張現実デバイス。
【請求項１３】
前記構成可能な物理装置は棚を含み、
前記構成可能な物理装置を前記第１の構成から前記第２の構成に変更することは、前記棚を第１の高さから第２の高さに移動させることを含む、請求項１１に記載の拡張現実デバイス。
【請求項１４】
前記構成可能な物理装置は標識を含み、
前記構成可能な物理装置を前記第１の構成から前記第２の構成に変更することは、前記標識の少なくとも１つの部分の色を第１の色から第２の色に変更することを含む、請求項１１に記載の拡張現実デバイス。
【請求項１５】
前記構成可能な物理装置はランプを含み、
前記構成可能な物理装置を前記第１の構成から前記第２の構成に変更することは、前記ランプの色を第１の色から第２の色に変更することを含む、請求項１１に記載の拡張現実デバイス。
【請求項１６】
前記構成可能な物理装置は複数のランプを含み、
前記構成可能な物理装置を前記第１の構成から前記第２の構成に変更することは、前記ユーザが第１の位置から少なくとも１つの第２の位置へ移動するための経路を照らすように、前記複数のランプを制御することを含む、請求項１１に記載の拡張現実デバイス。
【請求項１７】
前記構成可能な物理装置は、光を発するように構成された少なくとも１つのディスプレイを含み、
前記構成可能な物理装置を前記第１の構成から前記第２の構成に変更することは、前記構成可能な物理装置の色又はテクスチャを視覚的に示す照明カラー・スキームを変更するように、前記ディスプレイを選択的に制御することを含む、請求項１１に記載の拡張現実デバイス。
【請求項１８】
前記拡張現実デバイスは第１の拡張現実デバイスであり、第２の拡張現実デバイスは、前記構成可能な物理装置から前記閾値距離内にあり、前記実行可能な動作は、
前記第１の拡張現実デバイスが、前記第１の拡張現実デバイスと前記第２の拡張現実デバイスとの間で少なくとも１つのメッセージを交換することにより、前記第２の拡張現実デバイスと連携することと、
前記少なくとも１つのメッセージに基づいて、少なくとも前記第１の拡張現実デバイスは、前記第１の拡張現実デバイスが前記構成可能な物理装置の制御に関して前記第２の拡張現実デバイスよりも優先権を持っていると判断することと、
をさらに含み、
前記拡張現実デバイスにより、前記構成可能な物理装置を第１の構成から第２の構成に変更するように、前記構成可能な物理装置の前記コントローラを開始させることは、さらに、前記第１の拡張現実デバイスが前記構成可能な物理装置の制御に関して優先権を持っていると判断することに応答する、請求項１１に記載の拡張現実デバイス。
【請求項１９】
プロセッサにより実行可能なプログラム・コードを含むコンピュータ・プログラムであって、請求項１〜１０の何れか１項に記載の各ステップをコンピュータに実行させる、コンピュータ・プログラム。
【請求項２０】
請求項１９に記載の前記コンピュータ・プログラムを、コンピュータ可読ストレージ媒体に記録した、コンピュータ可読ストレージ媒体。
【国際調査報告】
2020527767.tif 000012
2020527767.tif 000013